(57)【要約】【課題】オーダーメイド型の商品を決済と連動して購入者に渡すことができる商品授受システム等を提供する。【解決手段】オーダーメイド型の商品を管理する商品サーバと、決済サーバと、販売者端末と、購入者端末とがネットワークを介して接続されており、商品サーバは、販売者端末から注文情報を受信して管理し、販売者端末からアップロードされた商品を保管する。さらに、販売者端末から受信した注文情報を基に、購入者端末に決済サーバでの決済方法を記載した請求メールを送信し、購入者は請求メールに記載された決済方法で支払を行う。商品サーバは、決済サーバより決済の完了の通知を受けた後、購入者端末にパスワードを記載した決済完了メールを送信する。購入者は、メールアドレスとパスワードを使用して認証を受け、ファイルのダウンロードを行い、商品を入手する。【選択図】図１
2010176446.tif 000002
【特許請求の範囲】
【請求項１】
オーダーメイド型の商品を管理する商品サーバと、決済サーバと、販売者端末と、購入者端末とがネットワークを介して接続される商品授受システムであって、
前記商品サーバは、
前記販売者端末から注文情報を受信して管理する受注管理手段と、
前記販売者端末からアップロードされた商品を保管し、前記購入者端末からのパスワードの認証後に、ダウンロード可能にするコンテンツ管理手段と、
前記販売者端末から受信した注文情報を基に、前記購入者端末に前記決済サーバでの決済方法を記載した請求メールを送信する請求メール送信手段と、
前記決済サーバより決済の完了の通知を受けた後、前記購入者端末に前記パスワードを記載した決済完了メールを送信する決済完了メール送信手段と、
を備えることを特徴とする商品授受システム。
【請求項２】
前記商品サーバは決済前書類を作成および保管する書類管理手段をさらに有し、
前記書類管理手段は、前記請求メール送信手段による前記請求メールを送信後に前記決済前書類のダウンロードを可能とすることを特徴とする請求項１に記載の商品授受システム。
【請求項３】
前記商品サーバは決済後書類を作成および保管する書類管理手段をさらに有し、
前記書類管理手段は、前記購入者端末からの前記パスワード認証後に、前記決済後書類のダウンロードを可能とすることを特徴とする請求項１に記載の商品授受システム。
【請求項４】
オーダーメイド型の商品を管理する商品サーバであって、
販売者端末から注文情報を受信して管理する受注管理手段と、
前記販売者端末からアップロードされた商品を保管し、購入者端末からのパスワード認証後に、ダウンロード可能にするコンテンツ管理手段と、
前記販売者端末から受信した注文情報を基に、前記購入者端末に決済サーバでの決済方法を記載した請求メールを送信する請求メール送信手段と、
前記決済サーバより決済の完了の通知を受けた後、前記購入者端末にパスワードを記載した決済完了メールを送信する決済完了メール送信手段と、
を備えることを特徴とする商品サーバ。
【請求項５】
コンピュータを請求項４記載の商品サーバとして機能させるためのプログラム。
【請求項６】
オーダーメイド型の商品を管理する商品サーバと、決済サーバと、販売者端末と、購入者端末とがネットワークを介して接続される商品授受システムによる商品授受方法であって、
前記販売者端末が前記商品サーバに注文情報と商品を送るステップと、
前記商品サーバが前記購入者端末に請求メールを送信するステップと、
前記購入者端末が前記商品サーバを介して前記決済サーバで決済を実行するステップと、
前記決済サーバが前記商品サーバに決済結果を通知するステップと、
前記商品サーバが前記購入者端末にパスワードつきの決済完了メールを送信するステップと、
前記購入者端末が前記商品サーバから、パスワードの認証後に商品をダウンロードするステップと、
を備える商品授受方法。
【発明の詳細な説明】
【技術分野】
【０００１】
本発明は、オーダーメイド型の商品の商品授受システム等に関する。
【背景技術】
【０００２】
従来、インターネット経由で商品を購入した場合の支払方法は、各種のクレジットカードで支払ったり、プリペイド方式で購入したカードのシリアル番号を入力したり、又は、宅配業者との代金引換やコンビニエンスストアでの決済などの支払方法が採られていた。また、インターネット経由でデジタルコンテンツを購入する場合は、決済が完了してからファイルをダウンロードしてデジタルコンテンツを入手していた。
【０００３】
先行技術として、電子チケットを使用したネットワーク決済システムが開示されている。(特許文献１を参照)インターネット等のネットワーク上での商品購入時に、支払金額と使途を特定した未決済の電子チケットを注文者からコンテンツ販売者に提出し、コンテンツ販売者が電子チケットをインターネット銀行で決済完了した後に、注文者が商品（コンテンツ）を入手する。
【先行技術文献】
【特許文献】
【０００４】
【特許文献１】特開２００７−６６１３６号公報
【発明の概要】
【発明が解決しようとする課題】
【０００５】
しかしながら、特許文献１に記載の発明では、注文の決済と、商品の授受が連動しておらず、コンテンツの受け渡しは販売者と注文者間で行う必要があるという問題点があった。また、注文者は、予めインターネット銀行に口座を開設し、商品購入の際に、電子チケットの発行をインターネット銀行に依頼をし、販売者に電子チケット情報を通知する必要があり、注文者は、各種クレジットカードで支払ったり、コンビニエンスストアで支払ったりする支払方法は使用できないという問題点があった。また、販売者は、自ら注文者に決済完了の通知をし、販売履歴を管理しなければならないという問題点もあった。
【０００６】
本発明は、前述した問題点に鑑みてなされたもので、その目的は、オーダーメイド型の商品を決済と連動して購入者に渡すことができる商品授受システムを提供することである。
【課題を解決するための手段】
【０００７】
前述した目的を達成するために第１の発明は、オーダーメイド型の商品を管理する商品サーバと、決済サーバと、販売者端末と、購入者端末とがネットワークを介して接続される商品授受システムであって、前記商品サーバは、前記販売者端末から注文情報を受信して管理する受注管理手段と、前記販売者端末からアップロードされた商品を保管し、前記購入者端末からのパスワードの認証後に、ダウンロード可能にするコンテンツ管理手段と、前記販売者端末から受信した注文情報を基に、前記購入者端末に前記決済サーバでの決済方法を記載した請求メールを送信する請求メール送信手段と、前記決済サーバより決済の完了の通知を受けた後、前記購入者端末に前記パスワードを記載した決済完了メールを送信する決済完了メール送信手段と、を備えることを特徴とする商品授受システムである。
【０００８】
第１の発明に係る商品授受システムを使用することによって、販売者は、自ら請求メールや決済完了メールを送信する必要がなく、購入者は、請求メールに記載された決済方法で決済を行うことができ、決済完了メールを受信した後、速やかに商品を入手することが可能になる。
【０００９】
また、オーダーメイド型の商品とは、購入者が販売者に注文した後、販売者が購入者の個別の事情に合わせて作成する商品である。例えば、購入者である法律事務所のクライアントの注文に応じて、販売者である法律事務所が作成する契約書案などである。また、販売者としては税理士事務所、会計士事務所、弁理士事務所、行政書士事務所、司法書士事務所などの各種士業事務所やデザイン事務所など、クライアントの求めに応じて広義の知的財産を作成する事業者が挙げられる。また、オーダーメイド型商品としては、官公署へ提出する書類案、会社設立キット、デザイン案などが挙げられる。
【００１０】
また、前記商品サーバは決済前書類を作成および保管する書類管理手段をさらに有し、前記書類管理手段は、前記請求メール送信手段による前記請求メールを送信後に前記決済前書類のダウンロードを可能とするものが望ましい。これにより、販売者が注文ごとに前記決済前書類を作成する必要がなく、販売者の負担を軽減することができる。
【００１１】
また、前記商品サーバは決済後書類を作成および保管する書類管理手段をさらに有し、前記書類管理手段は、前記購入者端末からの前記パスワード認証後に、前記決済後書類のダウンロードを可能とするものが望ましい。これにより、販売者が注文ごとに前記決済後書類を作成する必要がなく、販売者の負担を軽減することができる。
【００１２】
第２の発明は、オーダーメイド型の商品を管理する商品サーバであって、販売者端末から注文情報を受信して管理する受注管理手段と、前記販売者端末からアップロードされた商品を保管し、購入者端末からのパスワード認証後に、ダウンロード可能にするコンテンツ管理手段と、前記販売者端末から受信した注文情報を基に、前記購入者端末に決済サーバでの決済方法を記載した請求メールを送信する請求メール送信手段と、前記決済サーバより決済の完了の通知を受けた後、前記購入者端末にパスワードを記載した決済完了メールを送信する決済完了メール送信手段と、を備えることを特徴とする商品サーバである。また、コンピュータを前記商品サーバとして機能させるためのプログラムである。第２の発明に係る商品サーバまたはプログラムを使用することによって、第１の発明にかかる商品授受システムを構築できる。
【００１３】
第３の発明は、オーダーメイド型の商品を管理する商品サーバと、決済サーバと、販売者端末と、購入者端末とがネットワークを介して接続される商品授受システムによる商品授受方法であって、前記販売者端末が前記商品サーバに注文情報と商品を送るステップと、前記商品サーバが前記購入者端末に請求メールを送信するステップと、前記購入者端末が前記商品サーバを介して前記決済サーバで決済を実行するステップと、前記決済サーバが前記商品サーバに決済結果を通知するステップと、前記商品サーバが前記購入者端末にパスワードつきの決済完了メールを送信するステップと、前記購入者端末が前記商品サーバから、パスワードの認証後に商品をダウンロードするステップと、を備える商品授受方法である。第３の発明に係る商品授受方法を使用することによって、第１の発明にかかる商品授受システムをＡＳＰ（Application Service Provider）で提供できる。
【発明の効果】
【００１４】
本発明により、オーダーメイド型の商品を決済と連動して購入者に渡すことができる商品授受システムを提供することができる。
【図面の簡単な説明】
【００１５】
【図１】本発明の実施形態の商品授受システム１００の構成を示す図
【図２】本発明の実施形態の商品サーバ１０５のハードウエア構成を示す図
【図３】本発明の実施形態の商品サーバ１０５の構成を示すブロック図
【図４（ａ）】本発明の実施形態の商品を購入する際の基本的な処理フローチャート
【図４（ｂ）】図４（ａ）の続きのフローチャート
【図４（ｃ）】図４（ｂ）の続きのフローチャート
【図５】本発明の実施形態におけるログイン画面５０１の一例を示す図
【図６】本発明の実施形態における請求メール発行画面６０１の一例を示す図
【図７】本発明の実施形態における請求メール７０１の一例を示す図
【図８】本発明の実施形態における請求内容確認画面８０１の一例を示す図
【図９】本発明の実施形態における支払方法選択画面９０１の一例を示す図
【図１０】本発明の実施形態における決済情報入力画面１００１の一例を示す図
【図１１】本発明の実施形態における決済完了メール１１０１の一例を示す図
【図１２】本発明の実施形態における認証画面１２０１の一例を示す図
【図１３】本発明の実施形態におけるダウンロード画面１３０１の一例を示す図
【図１４】本発明の実施形態における販売者情報テーブル１４０１の一例を示す図
【図１５】本発明の実施形態における注文情報テーブル１５０１の一例を示す図
【発明を実施するための形態】
【００１６】
以下図面に基づいて、本発明の実施形態を詳細に説明する。
【００１７】
図１は、商品授受システム１００の構成を示す図である。
尚、図１のネットワーク１０１上に接続される各種端末の構成は一例であり、用途や目的に応じて様々な構成例があることは言うまでもない。
【００１８】
図１において、決済サーバ１０３と商品サーバ１０５と販売者端末１０７と購入者端末１０９がネットワーク１０１を介して通信可能に接続されている。決済サーバ１０３は、購入者が選択した決済方法に従い、クレジットカード決済やコンビニエンスストアでの決済の処理を行うサーバである。また、決済が完了した際は、商品サーバ１０５に、決済完了を通知する。
【００１９】
商品サーバ１０５は、販売する商品の管理や注文情報の管理を行い、さらに、販売者からの指示に従い、購入者に請求メールを送信したり、決済サーバからの決済完了通知に従い、購入者に決済完了メールを送信したりする。
【００２０】
販売者は、販売者端末１０７を使用して、商品サーバ１０５にログインし、販売する商品の情報を登録したり、また、購入者に請求メールを発行する手続きを行ったりする。予め、見積書や請求書等の決済前書類や、領収書や納品書等といった決済後書類を商品サーバ１０５に登録することも可能である。
【００２１】
購入者は、購入者端末１０９を使用して、販売者のホームページから商品を注文し、また、請求メールや決済完了メールを受信する。さらに、支払方法選択画面で支払方法を選択し、決済の手続きを行う。また、購入した商品の入手も、購入者端末１０９を使用して商品サーバ１０５からファイルをダウンロードして行うことになる。
【００２２】
図２は、商品サーバ１０５のハードウエア構成を示す図である。なお、決済サーバ１０３、販売者端末１０７、購入者端末１０９も商品サーバ１０５と同様のハードウェア構成を有する。
【００２３】
商品サーバ１０５は、ＣＰＵ（Ｃｅｎｔｒａｌ  Ｐｒｏｓｅｓｓｉｎｇ  Ｕｎｉｔ）２０１、主メモリ２０３、磁気ディスク２０５、表示メモリ２０７、入力部２０９、通信部２１１等がバス２１３を介して接続される。  ＣＰＵ２０１は、プログラムの実行を行い、主メモリ２０３及び磁気ディスク２０５は制御プログラムやデータ等を格納する。  表示メモリ２０７は、ディスプレイに表示する画面に関する情報を格納する。ディスプレイは、外部に有してもよく、同じ筐体内に有してもよい。  入力部２０９（キーボード、マウス等）は、プログラム及びデータの更新や、各種設定時に用いられる。  通信部２１１は、例えば、有線ＬＡＮのポートであり、ネットワークを介して、外部と接続及び通信する制御を行う。
【００２４】
図３は、商品サーバ１０５の構成を示すブロック図である。
図３に示すように、商品サーバ１０５は、請求メール送信手段３０１、決済完了メール送信手段３０３、コンテンツ管理手段３０５、書類管理手段３０７、受注管理手段３０９等を備える。
【００２５】
請求メール送信手段３０１は、販売者が販売者端末１０７を使用して請求メール発行画面６０１にて入力した注文情報を基に、決済サーバ１０３での決済方法を記載した請求メール７０１を作成して、購入者端末１０９に送信する。このとき、見積書や請求書等の決済前書類のダウンロード先のＵＲＬ（Ｕｎｉｆｏｒｍ  Ｒｅｓｏｕｒｃｅ  Ｌｏｃａｔｏｒ）を請求メール７０１に記載しても良い。
【００２６】
決済完了メール送信手段３０３は、決済サーバ１０３より決済の完了の通知を受けた後、購入者端末１０９にパスワードを記載した決済完了メール１１０１を送信する。このとき、領収書や納品書等の決済後書類のダウンロード先のＵＲＬを決済完了メール１１０１に記載しても良い。
【００２７】
コンテンツ管理手段３０５は、販売者によって、販売者端末１０７からアップロードされた商品を保管し、購入者によって購入者端末１０９から入力されたパスワードを認証した後に、商品をダウンロード可能にする。
【００２８】
書類管理手段３０７は、予め販売者が商品サーバ１０５に登録した決済前書類を、請求メール送信手段３０１が請求メール７０１を送信した後にダウンロード可能としたり、同様に予め登録した決済後書類を、決済完了メール送信手段３０３が決済完了メール１１０１を送信しコンテンツ管理手段３０５がパスワードを認証した後に、ダウンロード可能にしたりする。例えば、決済前書類とは請求書や見積書であり、決済後書類とは領収書や納品書である。
【００２９】
受注管理手段３０９は、販売者端末１０７から注文情報を受信して注文情報テーブル１５０１を作成し、請求メールや決済完了メールの送受信に伴い注文情報テーブル１５０１を更新し、受注情報を管理する。
【００３０】
図４〜図１３を用いて、購入者が、商品を注文してから入手するまでの基本的なフローを説明する。
図４（ａ）〜図４（ｃ）は、商品を購入する際の基本的な処理フローチャートである。
【００３１】
購入者が販売者のホームページなどで商品の注文をする（Ｓ４００）と、販売者は注文情報を受信する。販売者は販売者端末１０７より商品サーバ１０５へのログイン画面のＵＲＬを入力して送信し（Ｓ４０１）、商品サーバ１０５はＵＲＬに従いログイン画面の画面データを送信する（Ｓ４０３）。販売者端末１０７はログイン画面５０１を表示し、販売者は店ＩＤ、店パスワードを入力し、送信する（Ｓ４０７）。
【００３２】
図５は、販売者が商品サーバ１０５にログインする際に販売者端末１０７で表示されるログイン画面５０１の一例である。ログイン画面５０１は、店ＩＤを入力するテキストボックス５０３とパスワードを入力するテキストボックス５０５と送信ボタン５０７で構成されている。販売者は、販売店を識別する店ＩＤと認証に必要なパスワードを入力し、送信ボタン５０７をクリックすることでログインを行う。
【００３３】
商品サーバ１０５は、店ＩＤおよび店パスワードの認証後、請求メール発行画面６０１の画面データを送信する（Ｓ４０９）。販売者端末１０７は、受信した請求メール発行画面６０１を表示し（Ｓ４１１）、販売者は注文情報を画面に入力し、さらに商品をアップロードする。オーダーメイド型の商品でない場合は、予め、商品サーバ１０５にアップロードしても良い。
【００３４】
図６は、販売者端末１０７で表示される請求メール発行画面６０１の一例である。請求メール発行画面６０１は、商品ＩＤ６０３、商品名６０５、請求金額６０７、支払期限６０９、デジタルコンテンツ６１１、ファイル保存期限６１３等の請求内容を設定する情報を入力するそれぞれのテキストボックスと、請求先の名前６１５、請求メールを送るメールアドレス６１７、備考欄６１９等の請求先の情報を設定するそれぞれのテキストボックスと、確認ボタン６２１で構成されている。
【００３５】
販売者は、オーダーメイドの商品が完成した時点で、商品サーバ１０５にログインし、販売者端末１０７は請求メール発行画面６０１を表示する。販売者は、商品を識別する商品ＩＤ６０３と商品名６０５を入力する。商品ＩＤ６０３と商品名６０５は予め商品サーバ１０５に登録されている。請求金額６０７は、購入者に請求する金額を入力する。支払期限６０９は支払いの期限を西暦年もしくは和暦年、月、日の順に入力する。参照ボタンをクリックして、完成した商品（デジタルコンテンツ）が保存されている販売者端末１０７上のファイルパスをデジタルコンテンツ６１１に入力する。ファイル保存期限６１３は完成した商品を商品サーバ１０５に記憶しておく期限を西暦年もしくは和暦年、月、日の順に入力する。
【００３６】
請求先の情報として、請求先の名前６１５、請求先のメールアドレス６１７を入力する。さらに、特記したい事項を備考欄６１９に入力しても良い。以上の項目を入力後、販売者は、確認ボタン６２１をクリックして請求メール７０１の発行を商品サーバ１０５に依頼する。請求メール７０１の送信先はメールアドレス６１７である。
【００３７】
商品サーバ１０５は、送信された注文情報と、商品のダウンロード先ＵＲＬを編集して請求メール７０１を作成し、購入者のメールアドレスに送信する（Ｓ４１５）。また同時に、商品サーバ１０５は、決済前書類(請求書、見積書など)を作成し、磁気ディスク２０５に保存し、購入者よりダウンロード可能にする。
【００３８】
図７は、購入者のメールアドレスに送信される請求メール７０１の一例である。  請求メール７０１には、請求メール発行画面６０１で販売者が入力した、請求先の名前６１５、商品名６０５、請求金額６０７、支払期限６０９、支払い先ＵＲＬ７０３、デジタルコンテンツや決済前書類のダウンロード先ＵＲＬ７０５等が記載されている。
【００３９】
購入者は、ダウンロード先ＵＲＬ７０５をクリックし、ダウンロード画面を開き、決済前書類をダウンロード可能である。ただし、購入者が請求メール７０１を受信した時点では、まだ決済が完了していないため、商品（デジタルコンテンツ）のダウンロードに必要なパスワードがなく、商品（デジタルコンテンツ）のダウンロードはできない。
【００４０】
購入者が受信した請求メール７０１に記載されている支払い先ＵＲＬ７０３をクリックすることにより、購入者端末１０９は支払先ＵＲＬ７０３を商品サーバ１０５に送信する（Ｓ４１７）。商品サーバ１０５は、送信された支払い先ＵＲＬに従い、請求内容確認画面８０１の画面データを購入者端末１０９に送信する（Ｓ４１９）。購入者端末１０９は請求内容確認画面８０１の表示を行う（Ｓ４２１）。
【００４１】
図８は、購入者端末１０９で表示される請求内容確認画面８０１の一例である。請求内容確認画面８０１は、氏名、メールアドレス、ご請求金額、請求内容、支払期限、特記事項等の項目と支払方法選択ボタン８０２から構成されている。  氏名には、請求メール発行画面６０１で入力された請求先の名前６１５が表示される。同様に、メールアドレスには請求先のメールアドレス６１７が、ご請求金額には請求金額６０７が、支払期限には支払期限６０９が表示される。さらに、特記事項には、請求メール発行画面６０１の備考欄６１９で入力された内容が表示される。
【００４２】
購入者が請求内容の確認を行い（Ｓ４２３）、支払方法選択ボタン８０２をクリックすることにより、購入者端末１０９は支払方法選択画面９０１の表示を行う（Ｓ４２７）。商品サーバ１０５は、支払方法選択画面９０１の画面データを購入者端末１０９に送信する（Ｓ４２５）。
【００４３】
図９は、購入者端末１０９で表示される支払方法選択画面９０１の一例を示す。
支払方法選択画面９０１は、購入者が選択する支払い方法がそれぞれラジオボタンに続けて表示されている。支払い方法は、例えば、クレジットカード、コンビニ決済、電子マネー１、電子マネー２等である。
【００４４】
続いて、購入者は支払方法選択画面９０１でクレジットカードによる支払、コンビニエンスストアでの決済、または電子マネーによる支払等の選択肢の中から選択する支払い方法のラジオボタンをクリックして、決済ボタン９０２をクリックする（Ｓ４２９）。例えばクレジットカードでの支払いを選択した場合、購入者端末１０９は続いて決済情報入力画面１００１の表示を行う（Ｓ４３３）。商品サーバ１０５は、決済情報入力画面１００１の画面データを購入者端末１０９に送信する（Ｓ４３１）。
【００４５】
購入者は、決済情報入力画面１００１で支払いに使用するクレジットカードの情報を入力し、確定ボタンをクリックする（Ｓ４３５）。それにより、クレジットカード情報は決済サーバ１０３に送信され、決済処理を行う（Ｓ４３７）。
【００４６】
図１０は、購入者端末１０９で表示される決済情報入力画面１００１の一例である。決済情報入力画面１００１では、購入者は、支払いに使用するクレジットカード情報である、カード番号、カードの有効期限、カードの名義等を入力し、送信ボタン１００３をクリックして、購入者端末１０９は決済情報を決済サーバ１０３に送信する。
【００４７】
なお、Ｓ４２９において、クレジットカード決済以外の支払い方法を選択した場合を説明する。商品サーバ１０５は、支払い方法を決済サーバ１０３に送信し、さらに決済方法を説明するメールを購入者端末１０９に送信する。その後、購入者は選択した決済方法で支払いを行い、決済サーバ１０３は、購入者による支払いを確認した後に、決済処理を行う。
決済処理が完了すると決済完了の通知が商品サーバ１０５に送信される（Ｓ４３９）。商品サーバ１０５は、決済完了の通知を受け決済完了メール１１０１を購入者のメールアドレスに送信する（Ｓ４４１）。また同時に、商品サーバ１０５は、決済後書類(領収書、納品書など)を作成し、磁気ディスク２０５に保存し、購入者よりダウンロード可能にする。
【００４８】
図１１は、購入者が受信する決済完了メール１１０１の一例である。決済完了メール１１０１には、請求先の名前、商品名、受領金額１１０３、パスワード１１０５、ファイルのダウンロード先ＵＲＬ１１０７等が記載されている。請求先の名前には請求メール発行画面６０１で販売者が入力した、請求先の名前６１５、商品名には請求メール発行画面６０１の商品名６０５をそれぞれ表示する。同じく、ファイルのダウンロード先ＵＲＬ１１０７には、デジタルコンテンツなどのダウンロード先ＵＲＬ７０５を表示する。パスワード１１０５は、購入者が商品（デジタルコンテンツ）のファイルをダウンロードする際の認証に使用するものである。決済完了メール１１０１にはパスワード１１０５を記載せず、新たにパスワード通知メールでパスワード１１０５を通知しても良い。
【００４９】
決済完了メール１１０１を受信すると、購入者はメールに記載されているダウンロード先ＵＲＬをクリックし、商品のダウンロードを開始する。商品サーバ１０５は受信したダウンロード先ＵＲＬよりダウンロードの認証画面１２０１の画面データを購入者端末１０９に送信する（Ｓ４４５）。購入者端末１０９は認証画面１２０１を表示し（Ｓ４４７）、購入者は決済完了メール１１０１に記載されているパスワードとメールアドレスを入力し、認証情報を送信する（Ｓ４４９）。
【００５０】
図１２は、商品のファイルをダウンロードする前に購入者の認証を行う認証画面１２０１の一例を示す図である。認証画面１２０１は、メールアドレスとパスワード、実行ボタンで構成されている。認証は、購入者のメールアドレスと決済完了メールのパスワード１１０５で行う。購入者は、購入者端末１０９で認証に必要な情報を入力し、実行ボタンをクリックする。
【００５１】
商品サーバ１０５は、送信された認証情報が正しければ購入者の商品ダウンロードを許可し、ダウンロード画面１３０１の画面データを購入者端末１０９に送信し（Ｓ４５５）、不正であればエラーメッセージを購入者端末１０９に送信する（Ｓ４５１）。そして、再度、認証画面１２０１を表示するよう画面データを送信する。
【００５２】
購入者端末１０９はダウンロード画面１３０１を表示し（Ｓ４５７）、購入者は商品ファイル、決済後書類等のダウンロード先ＵＲＬをクリックし（Ｓ４５９）、商品サーバ１０５は送信されたＵＲＬに従い、ファイルデータを送信する（Ｓ４６１）。購入者端末はファイルデータを受信し（Ｓ４６３）、購入者は注文した商品を入手する。
【００５３】
図１３は、商品（デジタルコンテンツ）のファイルをダウンロードするダウンロード画面１３０１の一例である。さらに、ダウンロード画面１３０１では、領収書や納品書等の決済後書類のファイルもダウンロードできるようになっている。購入者は、ダウンロードボタンをクリックしてファイルのダウンロードを行う。
【００５４】
続いて、商品サーバ１０５が有するデータを説明する。
【００５５】
複数の販売者が商品授受システムを使用するため、商品サーバ１０５は、販売者情報を磁気ディスク２０５に登録して、ログインの認証や、請求メールを作成するときに参照する。
【００５６】
図１４は、販売者情報テーブルの一例を示す。販売者情報テーブル１４０１は、「店ＩＤ」、「店パスワード」、「店名」、「法人名」、販売者の「メールアドレス」等から構成されている。店ＩＤには、販売者ごとに固有のＩＤを設定し、同様に店パスワードにも販売者ごとに固有のパスワードを設定する。販売者情報テーブル１４０１には、新規の販売者ごとに１レコードが追加される。販売者情報テーブル１４０１のデータは、前述の図４に示す処理を行う前に登録される。
【００５７】
商品サーバ１０５は、複数の購入者の注文を管理するため、注文情報を磁気ディスク２０５に登録し、請求メールの作成時、決済完了メールの作成時に参照や更新を行う。
【００５８】
図１５に、商品サーバ１０５が登録する注文情報テーブル１５０１を示す。注文情報テーブル１５０１は、注文商品の「店ＩＤ」、「商品ＩＤ」、「商品名」、購入者への「請求金額」、「支払期限」、商品等のファイルダウンロード先ＵＲＬである「商品ＤＬリンク」、商品を商品サーバ１０５に保存しておく「商品保存期限」、「購入者名」、「購入者メールアドレス」、購入者が商品のファイルをダウンロードする際の認証に使用する「パスワード」で構成されている。注文情報テーブル１５０１には、新規の注文ごとに１レコードが追加される。
【００５９】
「店ＩＤ」、「商品ＩＤ」、「商品名」、「請求金額」、「支払期限」、「商品保存期限」、「購入者名」は、図４のＳ４１３にて、請求メール発行画面６０１から入力される。「商品ＤＬリンク」は、商品サーバ１０５が図４のＳ４１５にて請求メール７０１を作成する際に設定される。「商品ＤＬリンク」は、商品サーバ１０５上のダウンロード先ＵＲＬ７０５のリンクである。「パスワード」は、商品サーバ１０５が図４のＳ４４１にて決済完了メール１１０１を作成する際に設定される。
【００６０】
以上説明したように、本発明によれば、オーダーメイド型の商品をオンラインで代金引換で授受可能である。
【００６１】
また、本発明によれば、購入者は、クレジットカード情報などの決済情報を販売者に直接知らせることなく決済が可能であり、購入者の個人情報が保護される。
【００６２】
また、本発明によれば、商品サーバが見積書や請求書、納品書や領収書を作成するため、販売者がこれらの書類を作成する作業を省くことができる。
【００６３】
また、本発明によれば、商品サーバは、購入者のＩＤやパスワードの発行をせずに決済が可能であるため、購入者はＩＤの登録が不要である。
【００６４】
また、本発明によれば、商品サーバは既存の決済サーバを利用することができるため、独自に決済サーバを構築する必要が無い。さらに、商品サーバを多数の販売者が利用可能なため、販売者が独自に決済システムを構築せずに、商品授受システムを利用できる。
【００６５】
また、本発明によれば、決済サーバが決済を行うため、決済サーバの運営者が決済のリスクを負うことになり、販売者は商品の代金を確実に回収可能である。
【００６６】
以上、添付図面を参照しながら、本発明に係るオーダーメイド型の商品の商品授受システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００６７】
１００………商品授受システム
１０１………ネットワーク
１０３………決済サーバ
１０５………商品サーバ
１０７………販売者端末
１０９………購入者端末
【図１】
2010176446.tif 000003
【図２】
2010176446.tif 000004
【図３】
2010176446.tif 000005
【図４（ａ）】
2010176446.tif 000006
【図４（ｂ）】
2010176446.tif 000007
【図４（ｃ）】
2010176446.tif 000008
【図５】
2010176446.tif 000009
【図６】
2010176446.tif 000010
【図７】
2010176446.tif 000011
【図８】
2010176446.tif 000012
【図９】
2010176446.tif 000013
【図１０】
2010176446.tif 000014
【図１１】
2010176446.tif 000015
【図１２】
2010176446.tif 000016
【図１３】
2010176446.tif 000017
【図１４】
2010176446.tif 000018
【図１５】
2010176446.tif 000019